(57)【要約】      （修正有）【課題】省スペースで大量に備蓄しておくことができ、かつ、保温性が高く、要に臨んでは、ケガ人や病人などを運搬するための担架としても使用することができる折り畳みマットを提供すること。【解決手段】カバー部材２に形成された複数の袋部内にマット片１をそれぞれ収容し、かつ、少なくとも一方の最端に位置する袋部の外面には、枕部材３を収容可能な枕ポケット21ａを少なくとも形成する一方、カバー部材２における両方の側縁部22には、適宜、一対の把手輪奈41を付設することによって把手部４を形成し、カバー部材２における袋部間における継目は交互に折返して折り畳み可能にするとともに、把手部４を掴持してマット上の身体等を移送可能にするという技術的手段を採用した。【選択図】図１
0003109774.tif 000002
【実用新案登録請求の範囲】
【請求項１】
カバー部材２に形成された複数の袋部21・21…内にマット片１・１…がそれぞれ収容され、かつ、少なくとも一方の最端に位置する袋部21の外面には、枕部材３を収容可能な枕ポケット21ａが少なくとも形成されている一方、
当該カバー部材２における両方の側縁部22には、適宜、一対の把手輪奈41・41を付設することによって把手部４・４…が形成されており、
前記カバー部材２における袋部21・21…間における継目20・20…は交互に折返して折り畳み可能であるとともに、前記把手部４・４…を掴持してマット上の身体等を移送可能にしたことを特徴とする折り畳みマット。
【請求項２】
カバー部材２の裏面に幅方向に亙りテープ状の把手ひもが固定され、かつ、この把手ひもの両端部に把手輪奈41・41を形成し、側縁部22にそれぞれ位置するよう固定して把手部４を構成したことを特徴とする請求項１記載の折り畳みマット。
【請求項３】
カバー部材２の枕ポケット21ａに空気を送入することによって膨らませて枕部材３を一体に形成可能であることを特徴とする請求項１または２記載の折り畳みマット。
【請求項４】
カバー部材２の継ぎ目20・20…が縫合されて袋部21・21…が形成されていることを特徴とする請求項１〜３の何れか一つに記載の折り畳みマット。
【請求項５】
マット片１が連続気泡のプラスチック製であることを特徴とする請求項１〜４の何れか一つに記載の折り畳みマット。
【請求項６】
折り畳んだマットを纏めて括るための括りひも５を配設したことを特徴とする請求項１〜５の何れか一つに記載の折り畳みマット。
【請求項７】
国名、県名、発送元、郵便番号、保管場所、所有者などの管理情報を記入できる情報表記部６を配設したことを特徴とする請求項１〜６の何れか一つに記載の折り畳みマット。
【考案の詳細な説明】
【技術分野】
【０００１】
本考案は、災害用品の改良、更に詳しくは、省スペースで大量に備蓄しておくことができ、かつ、保温性が高く、要すれば、ケガ人や病人などを運搬するに際し担架としても使用することができる折り畳みマットに関するものである。
【背景技術】
【０００２】
周知のとおり、地震や水害などの自然災害が発生した場合、被災者は安全確保のためにやむを得ず自宅から避難しなければならないことがあり、かかる緊急時の避難所には、通常、学校の体育館や公民館などの公共施設が使用される。
【０００３】
そして、避難所や役所などにおいては、かかる非常時に被災者に支給するための毛布が常に備蓄されている。
【０００４】
ところで、避難所に使用されるような建物は、室内が広くて暖房などの空調設備を備えていないことが殆どであり、特に、冬場などは、空気がなかなか暖まらない上に、床も硬く冷たいため、寝心地が悪く、支給された毛布を掛ける程度では、寒さは到底凌げるものではなかった。
【０００５】
したがって、子供やお年寄り、病人などの体力が弱い者にとって、避難所で過ごすことは、非常に過酷な状況であり、復旧が進まずなかなか自宅に戻ることができずに、長期の避難生活を強いられるとなると切実な問題である。
【０００６】
また、かかる災害現場にあっては、自主避難に限らず、ケガ人が発生したり、また、自分では動けない病人なども速やかに移送して避難させる必要もあるけれども、資材が不足するため、人力に頼らざるを得ず、思いどおりに移送できないという問題もあった。
【考案の開示】
【考案が解決しようとする課題】
【０００７】
本考案は、従来のマットに、上記のような問題があったことに鑑みて為されたものであり、その目的とするところは、省スペースで大量に備蓄しておくことができ、かつ、保温性が高く、要に臨んでは、ケガ人や病人などを運搬するための担架としても使用することができる折り畳みマットを提供することにある。
【課題を解決するための手段】
【０００８】
本考案者が上記課題を解決するために採用した手段を添付図面を参照して説明すれば次のとおりである。
【０００９】
即ち、本考案は、カバー部材２に形成された複数の袋部21・21…内にマット片１・１…をそれぞれ収容し、かつ、少なくとも一方の最端に位置する袋部21の外面には、枕部材３を収容可能な枕ポケット21ａを少なくとも形成する一方、
当該カバー部材２における両方の側縁部22には、適宜、一対の把手輪奈41・41を付設することによって把手部４・４…を形成し、
前記カバー部材２における袋部21・21…間における継目20・20…は交互に折返して折り畳み可能にするとともに、前記把手部４・４…を掴持してマット上の身体等を移送可能にするという技術的手段を採用した。
【００１０】
また、本考案は、上記課題を解決するために、必要に応じて上記手段に加え、カバー部材２の裏面に幅方向に亙りテープ状の把手ひもを固定し、かつ、この把手ひもの両端部に把手輪奈41・41を形成し、側縁部22にそれぞれ位置するよう固定して把手部４を構成するという技術的手段を採用した。
【００１１】
更にまた、本考案は、上記課題を解決するために、必要に応じて上記手段に加え、カバー部材２の枕ポケット21ａに空気を送入することによって膨らませて枕部材３を一体に形成可能にするという技術的手段を採用した。
【００１２】
更にまた、本考案は、上記課題を解決するために、必要に応じて上記手段に加え、カバー部材２の継ぎ目20・20…を縫合して袋部21・21…を形成するという技術的手段を採用した。
【００１３】
更にまた、本考案は、上記課題を解決するために、必要に応じて上記手段に加え、マット片１を連続気泡のプラスチック製にするという技術的手段を採用した。
【００１４】
更にまた、本考案は、上記課題を解決するために、必要に応じて上記手段に加え、折り畳んだマットを纏めて括るための括りひも５を配設するという技術的手段を採用した。
【００１５】
更にまた、本考案は、上記課題を解決するために、必要に応じて上記手段に加え、国名や県名、発送元、郵便番号、保管場所、所有者などの管理情報を記入できる情報表記部６を配設するという技術的手段を採用した。
【考案の効果】
【００１６】
本考案のマットにあっては、カバー部材に形成した複数の袋部内にマット片をそれぞれ収容し、かつ、少なくとも一方の最端に位置する袋部の外面に枕部材を収容可能な枕ポケットを少なくとも形成し、
当該カバー部材における両方の側縁部には、適宜、一対の把手輪奈を付設することによって把手部を形成したことにより、前記カバー部材における袋部間における継目を交互に折返して折り畳み可能であるとともに、前記把手部を掴持してマット上の身体等を移送することができる。
【００１７】
したがって、省スペースで大量に備蓄しておくことができ、かつ、保温性が高く、しかも、ケガ人や病人などを運搬するための担架としても使用することができることから、災害現場におけるマットとしての実用的利用価値は頗る高いと云える。
【考案を実施するための最良の形態】
【００１８】
本考案を実施するための最良の形態を具体的に図示した図面に基づいて更に詳細に説明すると、次のとおりである。
【００１９】
本考案の実施形態を図１から図４に基づいて説明する。図１中、符号１で指示するものはマット片であり、このマット片１は、保温性に優れた材料から成る板体であって、本実施形態では、連続気泡のプラスチック、特に、発泡スチロール（ポリスチレン）を使用材料として採用する。
【００２０】
また、符号２で指示するものはカバー部材であり、このカバー部材２には複数の袋部21・21…が形成され、かつ、少なくとも一方の最端に位置する袋部21の外面には、枕ポケット21ａが少なくとも形成されている。
【００２１】
更にまた、符号３で指示するものは枕部材であり、この枕部材３は通常のそば枕やビーズ枕などを採用する。
【００２２】
しかして、本実施形態における折り畳みマットを構成するにあっては、まず、カバー部材２に形成した複数の袋部21・21…内にマット片１・１…（本実施形態では、25cm×60cm×２cmのものを８枚）をそれぞれ収容する。
【００２３】
そして、最端の袋部21の外面に形成された枕ポケット21ａに枕部材３を収容する（図２参照）。また、本実施形態では、一枚の長手の生地を折り返して縫製することにより、継ぎ目20・20…を縫合して複数の袋部21・21…を形成して強度を向上せしめると共に、使用材料としては、例えば、極細ナイロン繊維織物などの高吸水性の生地を採用する。
【００２４】
また、前記カバー部材２における両方の側縁部22には、適宜、一対の把手輪奈41・41を付設することによって把手部４・４…を形成する。本実施形態では、両端部と中央部との３箇所に形成している。
【００２５】
この際、本実施形態では、カバー部材２の裏面に幅方向に亙りテープ状の把手ひもを固定し、かつ、この把手ひもの両端部に把手輪奈41・41を形成し、側縁部22にそれぞれ位置するよう固定して把手部４を構成することもできる。（図２参照）
【００２６】
上記のように構成した本発明のマットは、前記カバー部材２における袋部21・21…間における継目20・20…を交互に折返して折り畳み可能であり、コンパクトにまとめることができるので、嵩張らず、備蓄に適している。
【００２７】
また、前記把手部４・４…を把持してマット上のケガ人や病人、あるいは荷物などをまとめて載置して移送することもできる。
【００２８】
なお、図示しないが、本実施形態では、カバー部材２の枕ポケット21ａに空気を送入することによって膨らませて枕部材３を一体に形成することができ、持ち合わせの枕部材３が無くとも、手軽に作製することができる。
【００２９】
更にまた、折り畳んだマットを纏めて括るための括りひも５を配設することができ、容易にひとまとめにすることができる。こうすることにより、バラけることがなく、管理が楽であり、配布作業もスムースに行うことができる（図４参照）。
【００３０】
更にまた、国名（例えば、「Ｊａｐａｎ」や、その頭文字の「Ｊ」など）、県名（または市町村などの地方公共団体名）、発送元、郵便番号、保管場所、所有者などの管理情報を記入できる情報表記部６を配設することができ、マットに関する情報を一目でわかるようにすることにより、返却作業やリサイクルの際に有効である。本実施形態では、前記括りひも５に配設することができる。
【００３１】
本考案は、概ね上記のように構成されるが、本考案は図示の実施形態に限定されるものでは決してなく、「実用新案登録請求の範囲」の記載内において種々の変更が可能であって、例えば、マット片１の使用材料は発泡スチロールに限らず、ポリウレタンやポリプロピレン、ポリエチレンなどのプラスチック製連続気泡体でもよいし、その他の高断熱性材料を採用することができ、本考案の技術的範囲に属する。
【図面の簡単な説明】
【００３２】
【図１】本考案の実施形態の折り畳みマットを表わす全体斜視図である。
【図２】本考案の実施形態の折り畳みマットの構造を表わす分解斜視図である。
【図３】本考案の実施形態の折り畳みマットの裏面を表わす全体斜視図である。
【図４】本考案の実施形態の折り畳みマットを折り畳んだ状態を表わす全体斜視図である。
【符号の説明】
【００３３】
１    マット片
２    カバー部材
20    継目
21    袋部
21ａ  枕ポケット
22    側縁部
３    枕部材
４    把手部
41    把手輪奈
５    括りひも
６    情報表記部
【図１】
0003109774.tif 000003
【図２】
0003109774.tif 000004
【図３】
0003109774.tif 000005
【図４】
0003109774.tif 000006